【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
ファクシミリ受信した画像を像形成する第１の機能及びファクシミリ受信した画像以外を像形成する第２の機能を有する画像形成装置において、
シートにトナー画像を形成する像形成部と、
前記トナー画像を前記シートに定着する定着器と、
商用電源から供給される電力を前記画像形成装置の動作のために供給する主電源回路と、
前記主電源回路から供給される電力を蓄電し、前記画像形成装置の動作のために供給する補助電源回路と、
前記補助電源回路を蓄電させる蓄電モードと前記補助電源回路に充電された電力を放電させる放電モードとを切り替える切替回路と、
前記第１の機能で像形成する場合は前記補助電源回路を前記放電モードで動作させず、前記主電源回路からの電力を前記定着器に電力供給するよう前記切替回路を制御し、前記第２の機能により像形成する場合は前記補助電源回路を前記放電モードで動作させ、前記主電源回路からの電力と前記補助電源回路からの電力とを前記定着器へ供給するよう前記切替回路を制御する制御部と、
を有することを特徴とする画像形成装置。
【請求項２】
ファクシミリ受信した画像を像形成する第１の機能及びファクシミリ受信した画像以外を像形成する第２の機能を有する画像形成装置において、
商用電源から供給される電力を前記画像形成装置の動作のために供給する主電源回路と、
前記主電源回路から供給される電力を蓄電し、前記画像形成装置の動作のために供給する補助電源回路と、
前記補助電源回路を蓄電させる蓄電モードと前記補助電源回路に充電された電力を放電させる放電モードとを切り替える切替回路と、
前記第１の機能により像形成する場合は前記補助電源回路を前記蓄電モードで動作させ、前記主電源回路からの電力で前記像形成装置を動作させ、前記第２の機能により像形成する場合は前記補助電源回路を前記放電モードで動作させ、前記主電源回路からの電力と前記補助電源回路からの電力とで前記画像形成装置を動作させる制御部と、
を有することを特徴とする画像形成装置。
【請求項３】
前記第１の機能か前記第２の機能かに拘わらず、画像形成開始指示が入力された際に前記補助電源回路を前記蓄電モードで動作させる時間範囲を設定する時間範囲設定手段を有することを特徴とする請求項２記載の画像形成装置。
【請求項４】
前記第１の機能で像形成する場合に前記補助電源回路を蓄電モードで動作させる機能を有効にするか否かを設定する機能設定手段を有することを特徴とする請求項２記載の画像形成装置。
【請求項５】
ファクシミリ受信した画像を像形成する第１の機能及びファクシミリ受信した画像以外を像形成する第２の機能を有する画像形成装置において、
商用電源から供給される電力を前記画像形成装置の動作のために供給する主電源回路と、
前記主電源回路から供給される電力を蓄電し、前記画像形成装置の動作のために供給する補助電源回路と、
前記補助電源回路を蓄電させる蓄電モードと前記補助電源回路に充電された電力を放電させる放電モードとを切り替える切替回路と、
前記画像形成装置が所定時間像形成を行わないと、前記画像形成装置を省電力状態に移行させる制御部と、
を有し、前記第１の機能により像形成するために前記省電力状態が解除された場合、前記制御部は、前記補助電源回路を前記蓄電モードで動作させ、前記主電源回路からの電力で前記像形成装置を動作させ、前記第２の機能により像形成するための前記省電力状態が解除された場合、前記制御部は、前記補助電源回路を前記放電モードで動作させ、前記主電源回路からの電力と前記補助電源回路からの電力とで前記画像形成装置を動作させることを特徴とする画像形成装置。
【請求項６】
商用電源から供給される電力を画像形成装置の動作のために供給する主電源回路と、
前記主電源回路から供給される電力を蓄電し、前記画像形成装置の動作のために供給する補助電源回路と、
前記補助電源回路を蓄電させる蓄電モードと前記補助電源回路に充電された電力を放電させる放電モードとを切り替える切替回路と、
前記画像形成装置が所定時間像形成を行わないと、前記画像形成装置を省電力状態に移行させる制御部と、
前記画像形成装置が設置されている場所の照度を検知する照度検知手段と、
を有し、前記制御部は、前記省電力状態が解除された際に、前記照度検知手段で検知される照度が所定照度以下の場合、前記補助電源回路を前記蓄電モードで動作させ、前記主電源回路からの電力で前記像形成装置を動作させ、前記照度検知手段で検知される照度が前記所定照度以下でない場合、前記補助電源を前記放電モードで動作させ、前記主電源回路からの電力と前記補助電源回路からの電力とで前記画像形成装置を動作させることを特徴とする画像形成装置。
【請求項７】
前記照度検知手段で検知された照度に拘わらず、画像形成開始指示が入力された際に前記補助電源回路を前記蓄電モードで動作させる時間範囲を設定する時間範囲設定手段を有することを特徴とする請求項６記載の画像形成装置。
【請求項８】
前記照度検知手段で検知される照度が所定照度以下の場合に前記補助電源回路を蓄電モードで動作させる機能を有効にするか否かを設定する機能設定手段を有することを特徴とする請求項６記載の画像形成装置。
【請求項９】
商用電源から供給される電力を画像形成装置の動作のために供給する主電源回路と、
前記主電源回路から供給される電力を蓄電し、前記画像形成装置の動作のために供給する補助電源回路と、
前記補助電源回路を蓄電させる蓄電モードと前記補助電源回路に充電された電力を放電させる放電モードとを切り替える切替回路と、
前記画像形成装置が所定時間像形成を行わないと、前記画像形成装置を省電力状態に移行させる制御部と、
前記画像形成装置の周りに人がいるか否かを検知する人体検知手段と、
を有し、前記制御部は、前記省電力状態が解除された際に、前記人体検知手段で人がいることが検知されていない場合、前記補助電源回路を前記蓄電モードで動作させ、前記主電源回路からの電力で前記像形成装置を動作させ、前記人体検知手段で人がいることが検知された場合、前記補助電源を前記放電モードで動作させ、前記主電源回路からの電力と前記補助電源回路からの電力とで前記画像形成装置を動作させることを特徴とする画像形成装置。
【請求項１０】
前記人体検知手段の検知結果に拘わらず、画像形成開始指示が入力された際に前記補助電源回路を前記蓄電モードで動作させる時間範囲を設定する時間範囲設定手段を有することを特徴とする請求項９記載の画像形成装置。
【請求項１１】
前記人体検知手段で人がいることが検知されていない場合に前記補助電源回路を蓄電モードで動作させる機能を有効にするか否かを設定する機能設定手段を有することを特徴とする請求項９記載の画像形成装置。
【手続補正２】
【補正対象書類名】明細書
【補正対象項目名】００１１
【補正方法】変更
【補正の内容】
【００１１】
上記目的を達成するために、本発明の画像形成装置は、ファクシミリ受信した画像を像形成する第１の機能及びファクシミリ受信した画像以外を像形成する第２の機能を有する画像形成装置において、シートにトナー画像を形成する像形成部と、前記トナー画像を前記シートに定着する定着器と、商用電源から供給される電力を前記画像形成装置の動作のために供給する主電源回路と、前記主電源回路から供給される電力を蓄電し、前記画像形成装置の動作のために供給する補助電源回路と、前記補助電源回路を蓄電させる蓄電モードと前記補助電源回路に充電された電力を放電させる放電モードとを切り替える切替回路と、前記第１の機能で像形成する場合は前記補助電源回路を前記放電モードで動作させず、前記主電源回路からの電力を前記定着器に電力供給するよう前記切替回路を制御し、前記第２の機能により像形成する場合は前記補助電源回路を前記放電モードで動作させ、前記主電源回路からの電力と前記補助電源回路からの電力とを前記定着器へ供給するよう前記切替回路を制御する制御部と、を有することを特徴とする。
【手続補正３】
【補正対象書類名】明細書
【補正対象項目名】００１２
【補正方法】変更
【補正の内容】
【００１２】
また、本発明の画像形成装置は、ファクシミリ受信した画像を像形成する第１の機能及びファクシミリ受信した画像以外を像形成する第２の機能を有する画像形成装置において、商用電源から供給される電力を前記画像形成装置の動作のために供給する主電源回路と、前記主電源回路から供給される電力を蓄電し、前記画像形成装置の動作のために供給する補助電源回路と、前記補助電源回路を蓄電させる蓄電モードと前記補助電源回路に充電された電力を放電させる放電モードとを切り替える切替回路と、前記第１の機能により像形成する場合は前記補助電源回路を前記蓄電モードで動作させ、前記主電源回路からの電力で前記像形成装置を動作させ、前記第２の機能により像形成する場合は前記補助電源回路を前記放電モードで動作させ、前記主電源回路からの電力と前記補助電源回路からの電力とで前記画像形成装置を動作させる制御部と、を有することを特徴とする。
【手続補正４】
【補正対象書類名】明細書
【補正対象項目名】００１３
【補正方法】変更
【補正の内容】
【００１３】
また、本発明の画像形成装置は、ファクシミリ受信した画像を像形成する第１の機能及びファクシミリ受信した画像以外を像形成する第２の機能を有する画像形成装置において、商用電源から供給される電力を前記画像形成装置の動作のために供給する主電源回路と、前記主電源回路から供給される電力を蓄電し、前記画像形成装置の動作のために供給する補助電源回路と、前記補助電源回路を蓄電させる蓄電モードと前記補助電源回路に充電された電力を放電させる放電モードとを切り替える切替回路と、前記画像形成装置が所定時間像形成を行わないと、前記画像形成装置を省電力状態に移行させる制御部と、を有し、前記第１の機能により像形成するために前記省電力状態が解除された場合、前記制御部は、前記補助電源回路を前記蓄電モードで動作させ、前記主電源回路からの電力で前記像形成装置を動作させ、前記第２の機能により像形成するための前記省電力状態が解除された場合、前記制御部は、前記補助電源回路を前記放電モードで動作させ、前記主電源回路からの電力と前記補助電源回路からの電力とで前記画像形成装置を動作させることを特徴とする。
【手続補正５】
【補正対象書類名】明細書
【補正対象項目名】００１４
【補正方法】変更
【補正の内容】
【００１４】
また、本発明の画像形成装置は、商用電源から供給される電力を画像形成装置の動作のために供給する主電源回路と、前記主電源回路から供給される電力を蓄電し、前記画像形成装置の動作のために供給する補助電源回路と、前記補助電源回路を蓄電させる蓄電モードと前記補助電源回路に充電された電力を放電させる放電モードとを切り替える切替回路と、前記画像形成装置が所定時間像形成を行わないと、前記画像形成装置を省電力状態に移行させる制御部と、前記画像形成装置が設置されている場所の照度を検知する照度検知手段と、を有し、前記制御部は、前記省電力状態が解除された際に、前記照度検知手段で検知される照度が所定照度以下の場合、前記補助電源回路を前記蓄電モードで動作させ、前記主電源回路からの電力で前記像形成装置を動作させ、前記照度検知手段で検知される照度が前記所定照度以下でない場合、前記補助電源を前記放電モードで動作させ、前記主電源回路からの電力と前記補助電源回路からの電力とで前記画像形成装置を動作させることを特徴とする。
【手続補正６】
【補正対象書類名】明細書
【補正対象項目名】００１５
【補正方法】変更
【補正の内容】
【００１５】
また、本発明の画像形成装置は、商用電源から供給される電力を画像形成装置の動作のために供給する主電源回路と、前記主電源回路から供給される電力を蓄電し、前記画像形成装置の動作のために供給する補助電源回路と、前記補助電源回路を蓄電させる蓄電モードと前記補助電源回路に充電された電力を放電させる放電モードとを切り替える切替回路と、前記画像形成装置が所定時間像形成を行わないと、前記画像形成装置を省電力状態に移行させる制御部と、前記画像形成装置の周りに人がいるか否かを検知する人体検知手段と、を有し、前記制御部は、前記省電力状態が解除された際に、前記人体検知手段で人がいることが検知されていない場合、前記補助電源回路を前記蓄電モードで動作させ、前記主電源回路からの電力で前記像形成装置を動作させ、前記人体検知手段で人がいることが検知された場合、前記補助電源を前記放電モードで動作させ、前記主電源回路からの電力と前記補助電源回路からの電力とで前記画像形成装置を動作させることを特徴とする。